【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
光信号を増幅又は分岐するための光部品、前記光部品に光学的に接続された光ファイバ、前記光部品と前記光ファイバとを配置する取付プレート部を内部に有する筒状シャーシを備え、前記筒状シャーシは外周壁を切欠いて設けたケーブル挿通部を介して前記取付プレート部の表裏にわたり前記光ファイバが配線可能であることを特徴とする光ユニット。
【請求項２】
筒状シャーシは軸方向に沿って両端まで切欠いて設けたケーブル挿通部を有すると共に端部に接続固定部を有し、複数の前記筒状シャーシを前記ケーブル挿通部が連なるように接続されていることを特徴とする請求項１に記載の光ユニット。
【請求項３】
連なった複数のケーブル挿通部を被うように複数の筒状シャーシに接続する補強板を設けたことを特徴とする請求項２に記載の光ユニット。
【請求項４】
補強板は一方の面が弧状をなし、他方の面がケーブル挿通部の縁部に当接して固定部材により筒状シャーシに接続固定され、前記一方の面と前記筒状シャーシの外周壁面とにより、ほぼ円形の外周面が形成されることを特徴とする請求項３に記載の光ユニット。
【請求項５】
筒状シャーシのケーブル挿通部にケーブルホルダを設けたことを特徴とする請求項１乃至３の何れかに記載の光ユニット。
【請求項６】
筒内の所定位置に設けられてケーブルが接続された部品を配置する取付プレート部、前記取付プレート部の表面側から裏面側まで外周壁を切欠いて設けたケーブル挿通部を有することを特徴とする筒状シャーシ。
【請求項７】
ケーブル挿通部にケーブルを保持するためのケーブルホルダを設けたことを特徴とする請求項６に記載の筒状シャーシ。
【手続補正２】
【補正対象書類名】明細書
【補正対象項目名】発明の名称
【補正方法】変更
【補正の内容】
【発明の名称】光ユニット及びその筒状シャーシ
【手続補正３】
【補正対象書類名】明細書
【補正対象項目名】０００１
【補正方法】変更
【補正の内容】
【０００１】
【発明の属する技術分野】この発明は、海底などに敷設され、光信号を増幅又は分岐する光ユニットに係わり、特に光ユニットの組立性向上及び機械的強度向上が図れる光ユニット及びその筒状シャーシに関するものである。
【手続補正４】
【補正対象書類名】明細書
【補正対象項目名】０００７
【補正方法】変更
【補正の内容】
【０００７】
この発明は以上の問題点を解消するためになされたもので、光ファイバの配線作業性を向上できる光ユニットを得ること。また、光ファイバの破損を防止できる光ユニットを得ること。また、機械的強度を向上可能な光ユニットを得ること。また、それに用いる筒状のシャーシを提供することを目的とする。
【手続補正５】
【補正対象書類名】明細書
【補正対象項目名】０００８
【補正方法】変更
【補正の内容】
【０００８】
【課題を解決するための手段】
この発明は、光信号を増幅又は分岐するための光部品、前記光部品に光学的に接続された光ファイバ、前記光部品と前記光ファイバとを配置する取付プレート部を内部に有する筒状シャーシを備え、前記筒状シャーシは外周壁を切欠いて設けたケーブル挿通部を介して前記取付プレート部の表裏にわたり前記光ファイバが配線可能であるものである。
【手続補正６】
【補正対象書類名】明細書
【補正対象項目名】０００９
【補正方法】変更
【補正の内容】
【０００９】
また、この発明は、筒状シャーシは軸方向に沿って両端まで切欠いて設けたケーブル挿通部を有すると共に端部に接続固定部を有し、複数の前記筒状シャーシを前記ケーブル挿通部が連なるように接続されているものである。
【手続補正７】
【補正対象書類名】明細書
【補正対象項目名】００１０
【補正方法】変更
【補正の内容】
【００１０】
また、この発明は、連なった複数のケーブル挿通部を被うように複数の筒状シャーシに接続する補強板を設けたものである。
【手続補正８】
【補正対象書類名】明細書
【補正対象項目名】００１１
【補正方法】変更
【補正の内容】
【００１１】
また、この発明は、補強板は一方の面が弧状をなし、他方の面がケーブル挿通部の縁部に当接して固定部材により筒状シャーシに接続固定され、前記一方の面と前記筒状シャーシの外周壁面とにより、ほぼ円形の外周面が形成されるものである。
【手続補正９】
【補正対象書類名】明細書
【補正対象項目名】００１２
【補正方法】変更
【補正の内容】
【００１２】
また、この発明は、筒状シャーシのケーブル挿通部にケーブルホルダを設けたものである。
【手続補正１０】
【補正対象書類名】明細書
【補正対象項目名】００１３
【補正方法】変更
【補正の内容】
【００１３】
また、この発明の光海底中継器ユニットの筒状シャーシは、筒内の所定位置に設けられてケーブルが接続された部品を配置する取付プレート部、前記取付プレート部の表面側から裏面側まで外周壁を切欠いて設けたケーブル挿通部を有するものである。
【手続補正１１】
【補正対象書類名】明細書
【補正対象項目名】００１４
【補正方法】変更
【補正の内容】
【００１４】
また、この発明は、ケーブル挿通部にケーブルを保持するためのケーブルホルダを設けたものである。
【手続補正１２】
【補正対象書類名】明細書
【補正対象項目名】００３４
【補正方法】変更
【補正の内容】
【００３４】
【発明の効果】
この発明によれば、光信号を増幅又は分岐するための光部品、光部品に光学的に接続された光ファイバ、光部品と光ファイバとを配置する取付プレート部を内部に有する筒状シャーシを備え、筒状シャーシは外周壁を切欠いて設けたケーブル挿通部を介して取付プレートの表裏にわたり光ファイバが配線可能であるので、ケーブル挿通部を挿通させて光ファイバ余長処理を円滑に行うことができると共に、光ファイバが従来のように、孔の縁に擦りながら引き回されるという作業の発生を防止でき、光ファイバの損傷を防止できる。
【手続補正１３】
【補正対象書類名】明細書
【補正対象項目名】００３５
【補正方法】変更
【補正の内容】
【００３５】
また、この発明によれば、筒状シャーシは軸方向に沿って両端まで切欠いて設けたケーブル挿通部を有すると共に端部に接続固定部を有し、複数の筒状シャーシをケーブル挿通部が連なるように接続されているので、例えば一方側の筒状シャーシから他方側の筒状シャーシに至るケーブルを配線することができる。
【手続補正１４】
【補正対象書類名】明細書
【補正対象項目名】００３６
【補正方法】変更
【補正の内容】
【００３６】
また、この発明によれば、連なった複数のケーブル挿通部を被うように複数の筒状シャーシに接続する補強板を設けたので、ケーブル挿通部を通過するケーブルを保護することができると共に、シャーシの外周壁の一部が切り欠かれていても光ユニットとしての強度を確保することができる。
【手続補正１５】
【補正対象書類名】明細書
【補正対象項目名】００３７
【補正方法】変更
【補正の内容】
【００３７】
また、この発明によれば、補強板は一方の面が弧状をなし、他方の面がケーブル挿通部の縁部に当接して固定部材により筒状シャーシに接続固定され、一方の面と筒状シャーシの外周壁面とにより、ほぼ円形の外周面が形成されるので、従来の光ユニットように別体の筒部を用いる必要がなく、部品点数を削減できる。
【手続補正１６】
【補正対象書類名】明細書
【補正対象項目名】００３８
【補正方法】変更
【補正の内容】
【００３８】
また、この発明によれば、筒状シャーシのケーブル挿通部にケーブルホルダを設けたので、ケーブルの引き回しが容易にできる。